(57)【要約】【課題】葬儀用礼状を捨てることに関して気にしなくて済む葬儀用礼状配信システムを提供する。【解決手段】運営者のサーバー１０と、参列者の携帯端末２と、がインターネットを介して接続された葬儀補助システムであって、葬儀用礼状をウェブページで閲覧可能にするアップロード手段と、葬儀用礼状のアップロード先のＵＲＬ又はＵＲＬを二次元コード化した二次元コードＱのうち少なくともいずれか一方を表示する電子書類を作成する電子書類作成手段と、電子書類を葬儀社端末１に送信する送信手段と、プリンターを介して電子書類を紙に出力させる出力制御手段と、紙に記載されたＵＲＬ又は二次元コードＱからウェブページにアクセスするアクセス手段と、を備える。【選択図】図２
2018190147.tif 000002
【特許請求の範囲】
【請求項１】
葬儀社端末と、運営者のサーバーと、参列者の携帯端末と、がインターネットを介して接続された葬儀補助システムであって、
葬儀用礼状をウェブページで閲覧可能にするアップロード手段と、
前記葬儀用礼状のアップロード先のＵＲＬ又は前記ＵＲＬを二次元コード化した二次元コードのうち少なくともいずれか一方を表示する電子書類を作成する電子書類作成手段と、
前記電子書類を前記葬儀社端末に送信する送信手段と、
プリンターを介して前記電子書類を紙に出力させる出力制御手段と、
前記紙に記載された前記ＵＲＬ又は前記二次元コードから前記ウェブページにアクセスするアクセス手段と、を備えることを特徴とする葬儀用礼状配信システム。
【請求項２】
前記ウェブページでの閲覧にアクセス期限を設けたことを特徴とする請求項１に記載の葬儀用礼状配信システム。
【請求項３】
前記電子書類には同一の前記ＵＲＬ又は前記二次元コードを複数表示し、
前記紙はシール用紙であることを特徴とする請求書１又は２に記載の葬儀用礼状配信システム。
【請求項４】
ウェブページで閲覧可能にした葬儀用礼状の、そのアップロード先のＵＲＬ又は前記ＵＲＬを二次元コード化した二次元コードのうち少なくともいずれか一方を外観に表示したことを特徴とする葬儀用返礼品。
【発明の詳細な説明】
【技術分野】
【０００１】
本発明は、葬儀社端末と、運営者のサーバーと、参列者の携帯端末と、がインターネットを介して接続された葬儀用礼状配信システム及び葬儀用返礼品に関するものである。
【背景技術】
【０００２】
通夜や葬儀に参列した参列者全員に対し喪家が感謝の意を示すために、会葬礼状とともに会葬御礼品を渡すことが習慣となっている（例えば、特許文献１参照）。
また、忌明け後には、葬儀のときに頂いた香典に対するお返しとして礼状とともに香典返しを贈る。
【０００３】
このような葬儀用返礼品は普段家庭で使用できるような日用品が選ばれることが多いので、贈られた側も葬儀で贈られたものであると意識することなく使用することができる。
【先行技術文献】
【特許文献】
【０００４】
【特許文献１】特開２００２−８６９６５号公報
【発明の概要】
【発明が解決しようとする課題】
【０００５】
一方、葬儀用礼状は一読した後に捨てても問題無いものであるが、心理的に捨て難いという参列者もいる。
しかし葬儀用礼状を持ち続けても将来それが必要となることはほとんど無い。
【０００６】
そこで、本発明の目的とするところは、葬儀用礼状を捨てることに関して気にしなくて済む葬儀用礼状配信システム及び葬儀用返礼品を提供することにある。
【課題を解決するための手段】
【０００７】
上記の目的を達成するために、本発明の請求項１に記載の葬儀用礼状配信システムは、葬儀社端末（１）と、運営者のサーバー（１０）と、参列者の携帯端末（２）と、がインターネットを介して接続された葬儀補助システムであって、葬儀用礼状をウェブページで閲覧可能にするアップロード手段と、前記葬儀用礼状のアップロード先のＵＲＬ又は前記ＵＲＬを二次元コード化した二次元コード（Ｑ）のうち少なくともいずれか一方を表示する電子書類を作成する電子書類作成手段と、前記電子書類を前記葬儀社端末（１）に送信する送信手段と、プリンターを介して前記電子書類を紙に出力させる出力制御手段と、前記紙に記載された前記ＵＲＬ又は前記二次元コード（Ｑ）から前記ウェブページにアクセスするアクセス手段と、を備えることを特徴とする。
【０００８】
また、請求項２に記載の葬儀用礼状配信システムは、前記ウェブページでの閲覧にアクセス期限を設けたことを特徴とする。
【０００９】
また、請求項３に記載の葬儀用礼状配信システムは、前記電子書類には同一の前記ＵＲＬ又は前記二次元コード（Ｑ）を複数表示し、前記紙はシール用紙であることを特徴とする。
【００１０】
また、請求項４に記載の葬儀用返礼品（Ｐ）は、ウェブページで閲覧可能にした葬儀用礼状の、そのアップロード先のＵＲＬ又は前記ＵＲＬを二次元コード化した二次元コード（Ｑ）のうち少なくともいずれか一方を外観に表示したことを特徴とする。
【００１１】
ここで、上記括弧内の記号は、図面および後述する発明を実施するための形態に掲載された対応要素または対応事項を示す。
【発明の効果】
【００１２】
本発明の請求項１に記載の葬儀用礼状配信システムによれば、葬儀用礼状をウェブページで閲覧可能にし、紙に記載されたＵＲＬ又は二次元コードからウェブページにアクセスするようにしたので、参列者はウェブページ上で葬儀用礼状を確認することができる。
つまり、参列者は葬儀用礼状そのものを紙媒体で受け取らなくて済むので、紙媒体の葬儀用礼状を捨ててもいいのか気にしなくてよい。
【００１３】
また、請求項２に記載の葬儀用礼状配信システムによれば、請求項１に記載の発明の作用効果に加え、ウェブページでの閲覧にアクセス期限を設けたので、喪家のプライバシーを守ることができる。
さらに、紙媒体の葬儀用礼状が無いだけでなくアクセス期限があり、参列者の意思にかかわらず見れなくなるので、葬儀用礼状を見れなくなったことに対して参列者が後ろめたく思うこともない。
【００１４】
また、請求項３に記載の葬儀用礼状配信システムによれば、請求項１又は２に記載の発明の作用効果に加え、電子書類には同一のＵＲＬ又は二次元コードを複数表示し、紙はシール用紙であるので、その二次元コード等を葬儀用返礼品に貼付することで、葬儀用返礼品を受け取った参列者が見落とすことなくそのウェブページにアクセスすることができる。
【００１５】
また、請求項４に記載の葬儀用返礼品によれば、ウェブページで閲覧可能にした葬儀用礼状の、そのアップロード先のＵＲＬ又はＵＲＬを二次元コード化した二次元コードのうち少なくともいずれか一方を外観に表示したので、参列者はウェブページ上で葬儀用礼状を確認することができる。
つまり、参列者は葬儀用礼状そのものを紙媒体で受け取らなくて済むので、紙媒体の葬儀用礼状を捨ててもいいのか気にしなくてよい。
また、外観に表示したので、葬儀用返礼品を受け取った参列者が見落とすことなくそのウェブページにアクセスすることができる。
【００１６】
なお、本発明の葬儀用礼状配信システム及び葬儀用返礼品のように、紙に記載されたＵＲＬ又は二次元コードからウェブページにアクセスして、ウェブページで葬儀用礼状を閲覧する点は、上述した特許文献１には全く記載されていない。
【図面の簡単な説明】
【００１７】
【図１】本発明の実施形態に係る葬儀用礼状配信システムの通信構成を示すブロック図である。
【図２】本発明の実施形態に係る葬儀用礼状配信システムにおける処理を示すフローチャートである。
【図３】本発明の実施形態に係る葬儀用礼状配信システムにおけるＰＤＦを示す図である。
【図４】本発明の実施形態に係る葬儀用返礼品を示す図である。
【発明を実施するための形態】
【００１８】
図１乃至図４を参照して、本発明の実施形態に係る葬儀用礼状配信システム及び葬儀用返礼品Ｐを説明する。
この葬儀用礼状配信システムは、葬儀社端末１と、運営者のサーバー１０と、参列者の携帯端末２と、がインターネットを介して接続されている。
【００１９】
ここで、本明細書において葬儀用礼状とは、会葬礼状及び香典返し時の礼状である。また、葬儀用返礼品Ｐとは、会葬御礼品及び香典返しである。
【００２０】
葬儀社端末１は、家庭や企業に広く普及している一般的なパソコンである。ウェブブラウザを使用してウェブページにアクセス可能であるとか、文書作成ソフトが動作可能であるという程度の性能を有していればよく、特に高速な処理が求められるものではない。
【００２１】
サーバー１０は、これもまた一般的なパソコンである。
本実施形態に係る葬儀用礼状配信システムに係るプログラムがインストールされており、本実施形態では葬儀社端末１から葬儀用礼状のデータをサーバー１０にアップロードすることをトリガーとして、いくつかの制御がプログラムに沿って自動的に行われる。
【００２２】
携帯端末２は、４Ｇ等のモバイル通信技術を用い、インターネットに接続可能なスマートフォンである。
携帯端末２は、参列者がそれぞれ所有しているスマートフォンであり、複数存在する。本実施形態では一つの携帯端末２について説明する。
【００２３】
このように構成された葬儀用礼状配信システムにおいて行われる制御について、図２に示すフローチャートを参照して説明する。
まず、葬儀用礼状の画像データ又はＰＤＦデータを葬儀社端末１によってサーバー１０にアップロードし、ウェブページで閲覧可能にする（ステップＳ１０１（以下、「ステップ」という語を省略する））。
【００２４】
次に、サーバー１０は葬儀用礼状データのアップロード先であるそのウェブページのＵＲＬを二次元コードＱ化する（Ｓ１０２）。
次に、サーバー１０は図３に示すようにその同一の二次元コードＱを複数（ここでは縦五つ横五つ）配置したＰＤＦデータを作成する（Ｓ１０３）。
【００２５】
そして、サーバー１０はそのＰＤＦデータを葬儀社端末１に送信する（Ｓ１０４）。
次に、葬儀社端末１は受け取ったＰＤＦデータをプリンターを介してシール用紙に出力させる（Ｓ１０５）。
印刷されたもののうち、二次元コードＱが一つ一つバラバラになるようにシール用紙には切れ目が入っており、図４に示すように葬儀用返礼品Ｐの外観面に二次元コードＱを表示したシールを貼付する。
【００２６】
この二次元コードＱ付きの葬儀用返礼品Ｐは参列者に手渡しされる（図２における破線矢印参照）。
【００２７】
最後に、シールに記載された二次元コードＱＱを参列者の携帯端末２で読み取って、専用のウェブページにアクセスし、携帯端末２で葬儀用礼状を表示する（Ｓ１０６）。
【００２８】
以上のように構成された葬儀用礼状配信システム及び葬儀用返礼品Ｐによれば、葬儀用礼状をウェブページで閲覧可能にし、紙に記載された二次元コードＱからウェブページにアクセスするようにしたので、参列者はウェブページ上で葬儀用礼状を確認することができる。
つまり、参列者は葬儀用礼状そのものを紙媒体で受け取らなくて済むので、紙媒体の葬儀用礼状を捨ててもいいのか気にしなくてよい。
【００２９】
また、ＰＤＦデータには同一の二次元コードＱを複数表示し、紙はシール用紙であるので、その二次元コードＱ等を葬儀用返礼品Ｐに貼付することで、葬儀用返礼品Ｐを受け取った参列者が見落とすことなくそのウェブページにアクセスすることができる。
【００３０】
なお、本実施形態において、葬儀用礼状を閲覧可能なウェブページについてアクセス期限を設けてもよい。
これにより、喪家のプライバシーを守ることができる。
さらに、紙媒体の葬儀用礼状が無いだけでなくアクセス期限があり、参列者の意思にかかわらず見れなくなるので、葬儀用礼状を見れなくなったことに対して参列者が後ろめたく思うこともない。
【００３１】
また、葬儀用礼状のデータ（画像やＰＤＦ）を葬儀社端末１でアップロードしたが、これに限られるものではなく、文章自体はテンプレートになっているものに対して故人名や喪主名等、個別の情報を入力することも葬儀用礼状のデータをアップロードするという概念に含む。
【００３２】
また、シール用紙に二次元コードＱを印刷したが、これに限られるものではなく、普通紙に一つの二次元コードＱを印刷して、その紙を参列者に渡してもよい。
さらに、二次元コードＱを印刷したが、これに限られるものではなく、ＵＲＬであってもよい。
【符号の説明】
【００３３】
１      葬儀社端末
２      携帯端末
１０      サーバー
Ｐ      葬儀用返礼品
Ｑ      二次元コード
【図１】
2018190147.tif 000003
【図２】
2018190147.tif 000004
【図３】
2018190147.tif 000005
【図４】
2018190147.tif 000006